(57)【要約】【課題】オブジェクト表示領域に表示されたオブジェクトの識別が困難になることを抑制する表示装置、表示方法、および表示プログラムを提供する。【解決手段】本発明の表示端末１は、画面に表示されているオブジェクトＭを操作することにより当該オブジェクトＭに対応するコンテンツが表示される表示装置である。表示端末１は、表示手段４０と、制御手段５０と、を有する。表示手段４０は、上記画面のオブジェクト表示領域に上記オブジェクトＭを表示する。制御手段５０は、表示の実行状況に関する所定条件が満足された場合、表示されたコンテンツに関連付けられているオブジェクトＭの表示形態を変更する。【選択図】図２
2015060323.tif 000002
【特許請求の範囲】
【請求項１】
画面に表示されているオブジェクトを操作することにより当該オブジェクトに対応するコンテンツが表示される表示装置であって、
前記画面のオブジェクト表示領域に前記オブジェクトを表示する表示手段と、
表示の実行状況に関する所定条件が満足された場合、表示されたコンテンツに関連付けられているオブジェクトの表示形態を変更する制御手段と、を有する、表示装置。
【請求項２】
前記制御手段は、
前記所定条件が満足されない場合、表示されたコンテンツに関連付けられているオブジェクトの表示を維持する一方で、
前記所定条件が満足される場合、前記オブジェクトを表示しないことを特徴とする請求項１に記載の表示装置。
【請求項３】
前記制御手段は、
前記所定条件が満足される場合、表示されたコンテンツに関連付けられているオブジェクトの表示形状を変更することを特徴とする請求項１に記載の表示装置。
【請求項４】
前記制御手段は、
前記所定条件としてコンテンツの表示回数が所定回数に達した場合、当該コンテンツに関連付けられているオブジェクトの表示形態を変更することを特徴とする請求項１に記載の表示装置。
【請求項５】
前記制御手段は、
探索モードを含むモード設定を備え、
前記所定条件として前記モード設定が探索モードである場合、表示されたコンテンツに関連付けられたオブジェクトの表示形態を変更することを特徴とする請求項１に記載の表示装置。
【請求項６】
前記制御手段は、
前記オブジェクトに対する操作形態を前記所定条件として、当該所定条件が満足された場合、
表示されたコンテンツに関連付けられているオブジェクトの表示形態を変更することを特徴とする請求項１に記載の表示装置。
【請求項７】
前記制御手段は、
表示されたコンテンツの表示を終了するときに、
当該コンテンツに関連付けられているオブジェクトの表示形態を変更することに対してユーザーが了承する旨の操作があることを前記所定条件として、当該所定条件が満足された場合、前記オブジェクトの表示形態を変更することを特徴とする請求項１に記載の表示装置。
【請求項８】
前記制御手段は、
前記オブジェクトに関する情報が設定されるオブジェクト設定を有し、
前記オブジェクト設定は、前記オブジェクト表示領域に表示されるオブジェクトの個数に関する所定の閾値を含み、
前記所定条件として前記オブジェクトの個数が前記所定の閾値以上の場合、前記オブジェクトの表示形態を変更することを特徴とする請求項１に記載の表示装置。
【請求項９】
前記オブジェクト設定は、前記オブジェクトが前記オブジェクト表示領域に表示されるときの大きさに関する設定をさらに含み、
前記オブジェクトが大きいほど前記所定の閾値を小さく設定する一方で、前記オブジェクトが小さいほど前記所定の閾値を大きく設定することを特徴とする請求項８に記載の表示装置。
【請求項１０】
前記所定の閾値の中心値は、ユーザーによって任意に設定されるように構成されることを特徴とする請求項８に記載の表示装置。
【請求項１１】
前記制御手段は、
表示形態が変更されたオブジェクトを所定の操作に基づいて元の表示形態に復帰させる機能を備えることを特徴とする請求項１に記載の表示装置。
【請求項１２】
前記制御手段は、
前記探索モードが終了した場合、前記探索モードの期間中に変更されたオブジェクトの表示形態を元の表示形態に復帰させる機能を備えることを特徴とする請求項５に記載の表示装置。
【請求項１３】
前記制御手段は、
表示形態が変更されてから第１所定時間後に前記オブジェクトを元の表示形態に復帰させる機能を備えることを特徴とする請求項１に記載の表示装置。
【請求項１４】
前記制御手段は、
ユーザーによる前記表示装置に対する操作が、表示形態が変更されてから第２所定所間以上無い場合、前記オブジェクトを元の表示形態に復帰させる機能を備えることを特徴とする請求項１に記載の表示装置。
【請求項１５】
前記制御手段は、
記憶手段に含まれるコンテンツが所定数以下に削減された場合、前記オブジェクトを元の表示形態に復帰させる機能を備えることを特徴とする請求項１に記載の表示装置。
【請求項１６】
前記制御手段は、
オブジェクトの表示形態が変更された履歴を記憶し、
当該履歴に基づいて、前記オブジェクトの表示形態の変更を取り消すか、あるいは再度変更することを特徴とする請求項１に記載の表示装置。
【請求項１７】
前記制御手段は、
表示形態が変更されたオブジェクトの位置に所定の操作を加えることで、当該オブジェクトの表示形態を元の表示形態に復帰させる機能を備えることを特徴とする請求項１に記載の表示装置。
【請求項１８】
前記オブジェクトは、手書き図形または手書き文字を含むコンテンツに関連付けられていることを特徴とする請求項１に記載の表示装置。
【請求項１９】
前記オブジェクトは、しおり、コメント、付箋、編集、検索結果のうちのいずれかを含むコンテンツに関連付けられていることを特徴とする請求項１に記載の表示装置。
【請求項２０】
前記コンテンツの表示時間が第３所定時間より短かった場合、前記オブジェクトの表示形態を変更しないことを特徴とする請求項１に記載の表示装置。
【請求項２１】
前記コンテンツはページであり、前記オブジェクトは表示されたページに関連付けられているマークであることを特徴とする請求項１〜２０のいずれか１項に記載の表示装置。
【請求項２２】
前記コンテンツはファイルであり、前記オブジェクトは表示されたコンテンツに関連付けられているアイコンであることを特徴とする請求項１〜２０のいずれか１項に記載の表示装置。
【請求項２３】
前記表示手段は、電子ペーパーを有することを特徴とする請求項１〜２２のいずれか１項に記載の表示装置。
【請求項２４】
画面に表示されているオブジェクトを操作することにより当該オブジェクトに対応するコンテンツが表示される表示方法であって、
前記画面のオブジェクト表示領域に前記オブジェクトを表示する段階と、
表示の実行状況に関する所定条件が満足された場合、表示されたコンテンツに関連付けられているオブジェクトの表示形態を変更する段階と、を有する、表示方法。
【請求項２５】
表示装置に請求項２４に記載の表示方法を実行させるように構成される、表示プログラム。
【請求項２６】
請求項２５に記載の表示プログラムを記録したコンピューター読み取り可能な記録媒体。
【発明の詳細な説明】
【技術分野】
【０００１】
本発明は、表示装置、表示方法、および表示プログラムに関する。
【背景技術】
【０００２】
近年、タブレット端末やスマートフォンなどの情報端末が一般に普及してきている。このような情報端末は、小型で携帯性に優れているため、ユーザーが容易に持ち運ぶことができ、文書、画像、動画などのページやファイル（以下、コンテンツと称する）を外出先などで閲覧するときに便利である。また、ＧＵＩ（Ｇｒａｐｈｉｃａｌ  Ｕｓｅｒ  Ｉｎｔｅｒｆａｃｅ）が搭載されているので操作性に優れている。ユーザーは、情報端末の画面に表示されているアイコンやマーク（以下、オブジェクトと称する）をタッチペンでタッチしたり、マウスでクリックしたりして選択することにより、オブジェクトに対応する所望のコンテンツを画面に容易に表示させることができる。とくに、コンテンツが複数存在する場合は、各々のコンテンツに対応するオブジェクトが画面上の所定領域（以下、オブジェクト表示領域と称する）に表示され、ユーザーは複数の当該オブジェクトから所望のコンテンツに関連付けられたオブジェクトを選択する。
【０００３】
ところが、コンテンツ数の増加に伴って、オブジェクト表示領域に表示されるオブジェクトの個数が増加すると、ユーザーがオブジェクトを選択する際に、既に選択したことのあるオブジェクトの識別が困難になったり、煩わしさを感じたりすることがある。
【０００４】
たとえば、下記の特許文献１には、文書画像の特定のページに付された付箋（オブジェクト）に基づいて所望のページ（コンテンツ）を容易に探し出すことを目的とした文書処理装置が開示されている。
【０００５】
しかしながら、特許文献１の文書処理装置では、たとえば付箋の数が非常に多い場合、付箋を表示する領域（オブジェクト表示領域）が限られているため、付箋同士が互いに接近または重なり合って個々の付箋の識別が困難になるおそれがある。また、付箋の数が多くない場合であっても、部分的に付箋の密度が高い場合や付箋同士が互いに接近または重なりあっている場合は、個々の付箋の識別が困難になるおそれがある。
【先行技術文献】
【特許文献】
【０００６】
【特許文献１】特開２００６−１１３７６５号公報
【発明の概要】
【発明が解決しようとする課題】
【０００７】
本発明は、上記問題に鑑みてなされたものである。したがって、本発明の目的は、オブジェクト表示領域に表示されたオブジェクトの識別が困難になることを抑制する表示装置、表示方法、および表示プログラムを提供することである。
【課題を解決するための手段】
【０００８】
本発明の上記目的は、下記によって達成される。
【０００９】
（１）画面に表示されているオブジェクトを操作することにより当該オブジェクトに対応するコンテンツが表示される表示装置であって、前記画面のオブジェクト表示領域に前記オブジェクトを表示する表示手段と、表示の実行状況に関する所定条件が満足された場合、表示されたコンテンツに関連付けられているオブジェクトの表示形態を変更する制御手段と、を有する、表示装置。
【００１０】
（２）前記制御手段は、前記所定条件が満足されない場合、表示されたコンテンツに関連付けられているオブジェクトの表示を維持する一方で、前記所定条件が満足される場合、前記オブジェクトを表示しないことを特徴とする上記（１）に記載の表示装置。
【００１１】
（３）前記制御手段は、
前記所定条件が満足される場合、表示されたコンテンツに関連付けられているオブジェクトの表示形状を変更することを特徴とする上記（１）に記載の表示装置。
【００１２】
（４）前記制御手段は、前記所定条件としてコンテンツの表示回数が所定回数に達した場合、当該コンテンツに関連付けられているオブジェクトの表示形態を変更することを特徴とする上記（１）に記載の表示装置。
【００１３】
（５）前記制御手段は、探索モードを含むモード設定を備え、前記所定条件として前記モード設定が探索モードである場合、表示されたコンテンツに関連付けられたオブジェクトの表示形態を変更することを特徴とする上記（１）に記載の表示装置。
【００１４】
（６）前記制御手段は、前記オブジェクトに対する操作形態を前記所定条件として、当該所定条件が満足された場合、表示されたコンテンツに関連付けられているオブジェクトの表示形態を変更することを特徴とする上記（１）に記載の表示装置。
【００１５】
（７）前記制御手段は、表示されたコンテンツの表示を終了するときに、
当該コンテンツに関連付けられているオブジェクトの表示形態を変更することに対してユーザーが了承する旨の操作があることを前記所定条件として、当該所定条件が満足された場合、前記オブジェクトの表示形態を変更することを特徴とする上記（１）に記載の表示装置。
【００１６】
（８）前記制御手段は、前記オブジェクトに関する情報が設定されるオブジェクト設定を有し、前記オブジェクト設定は、前記オブジェクト表示領域に表示されるオブジェクトの個数に関する所定の閾値を含み、前記所定条件として前記オブジェクトの個数が前記所定の閾値以上の場合、前記オブジェクトの表示形態を変更することを特徴とする上記（１）に記載の表示装置。
【００１７】
（９）前記オブジェクト設定は、前記オブジェクトが前記オブジェクト表示領域に表示されるときの大きさに関する設定をさらに含み、前記オブジェクトが大きいほど前記所定の閾値を小さく設定する一方で、前記オブジェクトが小さいほど前記所定の閾値を大きく設定することを特徴とする上記（８）に記載の表示装置。
【００１８】
（１０）
前記所定の閾値の中心値は、ユーザーによって任意に設定されるように構成されることを特徴とする上記（８）に記載の表示装置。
【００１９】
（１１）前記制御手段は、表示形態が変更されたオブジェクトを所定の操作に基づいて元の表示形態に復帰させる機能を備えることを特徴とする上記（１）に記載の表示装置。
【００２０】
（１２）前記制御手段は、前記探索モードが終了した場合、前記探索モードの期間中に変更されたオブジェクトの表示形態を元の表示形態に復帰させる機能を備えることを特徴とする上記（５）に記載の表示装置。
【００２１】
（１３）前記制御手段は、表示形態が変更されてから第１所定時間後に前記オブジェクトを元の表示形態に復帰させる機能を備えることを特徴とする上記（１）に記載の表示装置。
【００２２】
（１４）前記制御手段は、ユーザーによる前記表示装置に対する操作が、表示形態が変更されてから第２所定所間以上無い場合、前記オブジェクトを元の表示形態に復帰させる機能を備えることを特徴とする上記（１）に記載の表示装置。
【００２３】
（１５）前記制御手段は、
記憶手段に含まれるコンテンツが所定数以下に削減された場合、前記オブジェクトを元の表示形態に復帰させる機能を備えることを特徴とする上記（１）に記載の表示装置。
【００２４】
（１６）前記制御手段は、オブジェクトの表示形態が変更された履歴を記憶し、当該履歴に基づいて、前記オブジェクトの表示形態の変更を取り消すか、あるいは再度変更することを特徴とする上記（１）に記載の表示装置。
【００２５】
（１７）前記制御手段は、表示形態が変更されたオブジェクトの位置に所定の操作を加えることで、当該オブジェクトの表示形態を元の表示形態に復帰させる機能を備えることを特徴とする上記（１）に記載の表示装置。
【００２６】
（１８）前記オブジェクトは、手書き図形または手書き文字を含むコンテンツに関連付けられていることを特徴とする上記（１）に記載の表示装置。
【００２７】
（１９）前記オブジェクトは、しおり、コメント、付箋、編集、検索結果のうちのいずれかを含むコンテンツに関連付けられていることを特徴とする上記（１）に記載の表示装置。
【００２８】
（２０）前記コンテンツの表示時間が第３所定時間より短かった場合、前記オブジェクトの表示形態を変更しないことを特徴とする上記（１）に記載の表示装置。
【００２９】
（２１）前記コンテンツはページであり、前記オブジェクトは表示されたページに関連付けられているマークであることを特徴とする上記（１）〜（２０）のいずれか１つに記載の表示装置。
【００３０】
（２２）前記コンテンツはファイルであり、前記オブジェクトは表示されたコンテンツに関連付けられているアイコンであることを特徴とする上記（１）〜（２０）のいずれか１つに記載の表示装置。
【００３１】
（２３）前記表示手段は、電子ペーパーを有することを特徴とする上記（１）〜（２２）のいずれか１つに記載の表示装置。
【００３２】
（２４）画面に表示されているオブジェクトを操作することにより当該オブジェクトに対応するコンテンツが表示される表示方法であって、前記画面のオブジェクト表示領域に前記オブジェクトを表示する段階と、表示の実行状況に関する所定条件が満足された場合、表示されたコンテンツに関連付けられているオブジェクトの表示形態を変更する段階と、を有する、表示方法。
【００３３】
（２５）表示装置に上記（２４）に記載の表示方法を実行させるように構成される、表示プログラム。
【００３４】
（２６）上記（２５）に記載の表示プログラムを記録したコンピューター読み取り可能な記録媒体。
【発明の効果】
【００３５】
本発明によれば、表示されたコンテンツに関連付けられているオブジェクトの表示形態を変更するので、オブジェクト表示領域に表示されたオブジェクトの識別が困難になることを抑制できる。その結果、コンテンツが多数ある場合でも、コンテンツを表示するためのページ表示領域を狭めたりすることなく、オブジェクト表示領域の中で、所望するコンテンツを探しやすくすることができる。
【図面の簡単な説明】
【００３６】
【図１】本発明の第１の実施形態の表示システムの全体構成を示す概略ブロック図である。
【図２】図１に示す表示端末の一例を示す正面図である。
【図３】図２に示す表示端末の概略構成を示すブロック図である。
【図４】図３に示す表示部が備える電子ペーパーの主要部を説明するための断面図である。
【図５】図３に示すシステム制御部の概略構成を示すブロック図である。
【図６】本発明の第１の実施形態の表示方法について説明するためのフローチャートである。
【図７】図２に示す表示端末の下部表示バーを説明するための模式図である。
【図８Ａ】本発明の第１の実施形態の表示端末で特定のページ探索する場合について説明するための模式図である。
【図８Ｂ】図８Ａに後続する模式図である。
【図８Ｃ】図８Ｂに後続する模式図である。
【図８Ｄ】図８Ｃに後続する模式図である。
【図９】本発明の第２の実施形態の表示端末の一例を示す正面図である。
【図１０】本発明の第２の実施形態の表示方法について説明するためのフローチャートである。
【図１１Ａ】図９に示す表示端末で特定のファイルを探索する場合について説明するための模式図である。
【図１１Ｂ】図１１Ａに後続する模式図である。
【図１１Ｃ】図１１Ｂに後続する模式図である。
【図１１Ｄ】図１１Ｃに後続する模式図である。
【発明を実施するための形態】
【００３７】
以下、添付した図面を参照して本発明の表示装置、表示方法、および表示プログラムの実施形態を説明する。なお、図中、同一の部材には同一の符号を用いた。
【００３８】
（第１の実施形態）
図１は本発明の第１の実施形態の表示システムの全体構成を示す概略ブロック図であり、図２は図１に示す表示端末の一例を示す正面図である。また、図３は図２に示す表示端末の概略構成を示すブロック図であり、図４は図３に示す表示部が備える電子ペーパーの主要部を説明するための断面図であり、図５は図３に示すシステム制御部の概略構成を示すブロック図である。
【００３９】
＜表示システムの概略構成＞
図１に示すように、本実施形態の表示システムＡは、表示端末１およびＰＣ（Ｐｅｒｓｏｎａｌ  Ｃｏｍｐｕｔｅｒ）２を有する。表示端末１とＰＣ２とは、有線／無線ＬＡＮ（Ｌｏｃａｌ  Ａｒｅａ  Ｎｅｔｗｏｒｋ）などのネットワーク３を介して相互に通信可能に接続されている。なお、表示端末１とＰＣ２とは、ネットワーク３を介することなく直接機器間で接続されていてもよい。
【００４０】
本実施形態では、表示端末１は、画面に表示する画像のデータをＰＣ２からネットワーク３を経由して受信する。上記画像のデータは、ＰＣ２上でアプリケーション・ソフトウェアにより作成された文書のデータが、表示端末１で表示できる画像形式のデータに変換されたものであり、専用の変換ドライバーによって作成される。本実施形態の表示端末１で表示できる画像のデータ形式は、たとえば、ＴＩＦＦ（Ｔａｇｇｅｄ  Ｉｍａｇｅ  Ｆｉｌｅ  Ｆｏｒｍａｔ）、ＢＭＰ（Ｍｉｃｒｏｓｏｆｔ  Ｗｉｎｄｏｗｓ  Ｂｉｔｍａｐ  Ｉｍａｇｅ）などである。しかしながら、アプリケーション・ソフトウェアにより作成される文書のデータ形式のまま表示端末１に表示できるように構成することもできる。本実施形態では、アプリケーション・ソフトウェアなどにより作成され、テキスト、図形、画像、動画、手書き図形（文字）の少なくともいずれかを含むファイルを「文書」と称し、表示端末１で一度に表示される「文書」の画像を「ページ」と称する。
【００４１】
＜表示端末の概略構成＞
図２に示すように、本実施形態の表示端末１は、ページ表示領域ＰＤ、下部表示バーＤＢ、メニュー領域ＭＮ，およびページめくりボタンＰＢが備えられたタブレット端末である。
【００４２】
ページ表示領域ＰＤには、テキスト、図形、画像、手書き図形（文字）を含む文書の選択された１ページが表示される。図２では、ページ表示領域ＰＤは、表示端末１を正面から見たときに表示端末１の中央部に位置しており、「いろはにほへと・・・」のテキスト上に手書きの図形が追加された例が示されている。
【００４３】
下部表示バーＤＢは、文書に複数のページが含まれている場合、表示されているページが文書全体の大凡どの辺りにあるのかを示す。本実施形態では、下部表示バーＤＢは、表示端末１を正面から見たときに、ページ表示領域ＰＤの下側に位置する。表示されているページが文書全体の大凡どの辺りにあるのかは、下部表示バーＤＢのスケールＳＣで表示される。スケールＳＣにおいて、左端を原点として当該原点から右方向への距離で文書全体の大凡どの辺りにあるページであるかをスケール位置ＳＰで表す。ユーザーは、タッチペンでスケール位置ＳＰを移動させることにより、スケール位置ＳＰに対応するページを直接的に表示させることができる。なお、本実施形態では、下部表示バーＤＢが表示端末１の下側に位置する場合について説明したが、下部表示バーＤＢの配置は表示端末１の下側に限定されず、ページ表示領域ＰＤの周辺であればよい。
【００４４】
さらに、本実施形態では、特定のページに関連付けられ、下部表示バーＤＢのスケールＳＣに表示されたマークをタッチペンでタッチすることにより、上記特定のページを直接的に表示することもできる。下部表示バーＤＢのスケールＳＣに表示されるマークの個数は、上記特定のページの数が増加するにつれて増加する。しかしながら、画面の大きさに占める下部表示バーＤＢのスケールＳＣの大きさは限られている。したがって、マークの個数が増加すると、隣接するマーク同士の間隔が狭まる可能性がある。本実施形態のマークの詳細については後述する。
【００４５】
ページめくりボタンＰＢは、表示端末１を正面から見たときに、表示端末１の右側端部に位置する。ユーザーは、表示端末１のページめくりボタンＰＢを操作してページをめくり、所望のページをページ表示領域ＰＤに表示させて上記ページを閲覧することができる。
【００４６】
メニュー領域ＭＮは、ページ表示領域ＰＤとページめくりボタンＰＢとの間に位置する。ユーザーは、メニュー領域ＭＮをタッチペンでタッチすることにより、たとえば後述するモード設定、マーク設定（オブジェクト設定）などの各種の設定をすることができる。
【００４７】
以下、図３〜図５を参照して、本実施形態の表示端末１の構成をより詳細に説明する。図３に示すように、本実施形態の表示端末１は、通信部１０、操作部２０、電源部３０、表示部４０、およびシステム制御部５０を有する。
【００４８】
通信部１０は、システム制御部５０に接続され、システム制御部５０の指示に従って、表示端末１とＰＣ２との間でデータを無線または有線で送受信する。上記データとしては、たとえばユーザーが表示端末１を用いて閲覧する文書のデータなどである。受信された文書のデータは、システム制御部５０に伝達され、保存される。
【００４９】
操作部２０は、システム制御部５０に接続され、表示端末１に対するユーザーからの操作入力を受け付ける。操作部２０は、タッチパネルおよびページめくりボタンＰＢを含む。ユーザーは、タッチパネルまたはページめくりボタンＰＢを操作して、ページ表示領域ＰＤに表示されているページを次のページに切り替えたり、表示端末１の各種設定などを入力したりすることができる。
【００５０】
電源部３０は、表示端末１の各部に電力を供給する。電源部３０は、表示端末１を持ち運びやすくする観点から、電源として電池を備えることが好ましい。また、上記電池としては、アルカリ蓄電池、リチウムイオン電池などの二次電池であることが好ましい。
【００５１】
表示部４０は、表示手段として機能し、ＰＣ２から受信した上記文書のデータに基づいてページをページ表示領域ＰＤに表示する。本実施形態では、表示部４０は電子ペーパーおよび当該電子ペーパーを駆動するための表示ドライバー（不図示）を備える。
【００５２】
以下、図４を参照して、表示部４０が備える電子ペーパーの主要部の構造について詳細に説明する。表示部４０の電子ペーパーは、支持層４１、背面電極４２、接着層４３、透明電極４４、表面層４５、およびマイクロカプセル４６を有する。マイクロカプセル４６は、黒色顔料４６ａおよび白色顔料４６ｂを有する。
【００５３】
上記電子ペーパーは、負電荷を帯びた黒色顔料４６ａ及び正電荷を帯びた白色顔料４６ｂがオイル等の透明分散媒とともに封入されたマイクロカプセル４６による電気泳動方式の表示技術を採用している。
【００５４】
表面層４５は、ＰＥＴ（Ｐｏｌｙｅｔｈｙｌｅｎｅ  Ｔｅｒｅｐｈｔｈａｌａｔｅ）フィルム等の透明な材料からなる前面基板であり、その背面側にはＩＴＯ（Ｉｎｄｉｕｍ  Ｔｉｎ  Ｏｘｉｄｅ）等の透明な電導膜からなる透明電極４４が配置されている。また、支持層４１はポリイミドフィルム等の絶縁性を有する材料からなる背面基板であり、その前面側には個々のマイクロカプセル４６に対応する微小な金属板からなる背面電極（セグメント電極）４２が配置されている。
【００５５】
そして、個々の背面電極４２と透明電極４４との間には前述のマイクロカプセル４６が配置されており、個々のマイクロカプセル４６は接着層４３を介して個々の背面電極４２と接合されている。このように２枚の電極板４２，４４を介して前面基板（表面層４５）と背面基板（支持層４１）との間の空間に２次元的に配置された多数のマイクロカプセル４６が上記電子ペーパーの表示領域を形成している。
【００５６】
このように配置されたマイクロカプセル４６による表示原理は次の通りである。一のマイクロカプセル４６に対応する背面電極４２に正電位が与えられると、負電荷を帯びた黒色顔料４６ａが背面電４２側に移動するとともに正電荷を帯びた白色顔料４６ｂが透明電極４４側に移動するので、当該マイクロカプセル４６は表示領域の前面側から見て白色を表示することになる。
【００５７】
同様に、一のマイクロカプセル４６に対応する背面電極４２に負電位が与えられると、正電荷を帯びた白色顔料４６ｂが背面電極４２側に移動するとともに負電荷を帯びた黒色顔料４６ａが透明電極４４側に移動するので、当該マイクロカプセル４６は表示領域の前面側から見て黒色を表示することになる。
【００５８】
図５に示すように、システム制御部５０は、制御手段として機能し、ＨＤＤ（Ｈａｒｄ  Ｄｉｓｋ  Ｄｒｉｖｅ）５１、ＲＡＭ（Ｒａｎｄｏｍ  Ａｃｃｅｓｓ  Ｍｅｍｏｒｙ）５２、およびＲＯＭ（Ｒｅａｄ  Ｏｎｌｙ  Ｍｅｍｏｒｙ）５３、およびＣＰＵ（Ｃｅｎｔｒａｌ  Ｐｒｏｃｅｓｓｉｎｇ  Ｕｎｉｔ）５４を有し、これらの各構成要素は内部バス５５により相互に接続されている。
【００５９】
ＨＤＤ５１は、表示プログラムＤＰおよび図示しないＯＳ（Ｏｐｅｒａｔｉｎｇ  Ｓｙｓｔｅｍ）などの各種ソフトウェアを保存する。また、ＨＤＤ５１は、ＰＣ２で作成され、通信部１０で受信した上記文書のデータを保存する。
【００６０】
ＲＡＭ５２は、上記各種ソフトウェア、上記文書のデータ、ＣＰＵ５４が表示プログラムＤＰを実行した際の演算結果などを一時的に保存する。
【００６１】
ＲＯＭ５３は、ＣＰＵ５４が表示プログラムＤＰを実行する際に使用する各種パラメータなどを記憶している。
【００６２】
ＣＰＵ５４は、表示プログラムＤＰを実行することにより、本実施形態の表示方法を実現する。以下、図６〜図８Ｄを参照して、本実施形態の表示方法についてより詳しく説明する。図６は本実施形態の表示方法について説明するためのフローチャートであり、図７は図２に示す表示端末の下部表示バーを説明するための模式図である。また、図８Ａ〜図８Ｄは、本実施形態の表示端末で特定のページを探索する場合について説明するための模式図である。
【００６３】
＜表示方法の概要＞
以下では、文書の中から図２に示されるような手書き図形（文字）が含まれている特定のページを探索する場合を例示して、本実施形態の表示方法の概要について説明する。上記文書は、手書き図形（文字）が含まれているページを複数ページ含んでおり、各々の手書き図形（文字）が含まれているページについて、下部表示バーＤＢのスケールＳＣの対応する位置にマークが付される。本実施形態では、ユーザーがこれらのマークに基づいて一つ一つページを表示させて内容を確認し、目的のページを探索することを想定している。本実施形態では、上記ページがコンテンツに対応し、上記マークがオブジェクトに対応し、下部表示バーＤＢのスケールＳＣがオブジェクト表示領域に対応する。
【００６４】
図６に示すように、まず、ページの表示を開始する（ステップＳ１０１）。ＣＰＵ５４は、表示部４０を制御して、ＨＤＤ５１に保存されている上記文書の最初のページをページ表示領域ＰＤに表示させる。
【００６５】
次に、マークが操作されたか否かが判断される（ステップＳ１０２）。本実施形態では、オブジェクトとしてのマークがタッチペンでタッチされたか否かが判断される。図７に示すように、ユーザーは、下部表示バーＤＢのスケールＳＣ上に付されたマークＭをタッチペン６０でタッチする。本実施形態では、上記文書の手書き図形（文字）が含まれるページに対応させてマークＭを付す場合を例示して説明する。しかしながら、マークＭを付すページは、手書き図形（文字）が含まれるページに限定されることはなく、たとえば「しおり」を含むページなどであってもよい。また、マークＭを付すページは、所望のページやファイルを探すためにある条件で検索した結果の一覧でもよい。さらに、マークＭを付すページは、上記文書が含むページが少ない場合、上記文書に含まれるすべてのページであってもよい。
【００６６】
ＣＰＵ５４は、マークが操作されたか否かを判断する。マークが操作された場合（ステップＳ１０２：ＹＥＳ）、すなわち、マークＭがタッチペン６０でタッチされた場合、操作されたマークＭに対応するページを表示する（ステップＳ１０３）。ＣＰＵ５４は、表示部４０に指示して、タッチペン６０でタッチされたマークＭに対応するページを表示させる。
【００６７】
次に、所定条件を満足するか否かが判断される（ステップＳ１０４）。上記所定条件は、表示の実行状況に関する条件である。所定条件を満足しない場合（ステップＳ１０４：ＮＯ）、処理を終了する。上記所定条件としては、たとえばページの表示回数が所定回数に達することが挙げられる。上記所定回数は、任意の値に設定できるが、本実施形態では、所定回数は１に設定されている。なお、所定条件は、ページの表示回数が所定回数に達すること以外にも設定できる。この他の所定条件の詳細については後述する。
【００６８】
一方、所定条件を満足する場合（ステップＳ１０４：ＹＥＳ）、マークの表示形態を非表示にする（ステップＳ１０５）。本実施形態では、ＣＰＵ５４は、表示部４０に指示して、上記ページに関連付けられたマークを表示させない。すなわちマークを非表示にする。このように、本実施形態では、マークＭがタッチペン６０でタッチされた場合、ページの表示回数が所定回数の１回に達して所定条件を満足するので、表示されたページに関連付けられているマークの表示形態を変更（非表示）する。
【００６９】
以上のステップＳ１０１〜Ｓ１０５の処理が実行されのち、ユーザーは、表示されたページが目的のページか否かを判断し、表示されたページが探していた目的のページである場合、ページ探索を終了する。一方、表示されたページが探していた目的のページではない場合、ＣＰＵ５４に再度、上述のステップＳ１０２〜Ｓ１０５の処理を実行させる。以下、図８Ａ〜図８Ｄを参照して、文書の手書き図形（文字）が含まれている特定のページをユーザーが探索する場合を例示して、本実施形態の表示端末１の動作をより具体的に説明する。
【００７０】
図８Ａに示すように、上記文書には、手書き図形（文字）が含まれているページが７ページあり、各々のページに対応させてマークＭ１〜マークＭ７が下部表示バーＤＢのスケールＳＣに付されている。この段階では、ユーザーはマークＭ１〜マークＭ７の７つのマークの中から１つを選択しなければならない。ユーザーは、まず、たとえばマークＭ４をタッチペン６０でタッチしてマークＭ４に対応するページを表示させて閲覧する。
【００７１】
次に、図８Ｂに示すように、マークＭ４がタッチペン６０でタッチされたので、マークＭ４は非表示となる。ところが、上記ページは、ユーザーが探していた目的のページではないので、ユーザーはページ探索を再開しなければならない。今度は、マークＭ４が表示されないので、ユーザーはマークＭ４を除くマークＭ１〜マークＭ３，マークＭ５〜マークＭ７のうちから選択すればよい。図８Ｂに示す例では、ユーザーはマークＭ７をタッチしてマークＭ７に対応するページを表示させて閲覧する。
【００７２】
次に、図８Ｃに示すように、マークＭ７がタッチペン６０でタッチされたので、マークＭ７は非表示となる。ところが、上記ページは、ユーザーが探していた目的のページではないので、ユーザーはページ探索を再開しなければならない。今度は、マークＭ４およびマークＭ７が表示されないので、ユーザーはマークＭ４およびマークＭ７を除くマークＭ１〜マークＭ３，マークＭ５，マークＭ６のうちから選択すればよい。図８Ｃに示す例では、ユーザーはマークＭ６をタッチしてマークＭ６に対応するページを表示させて閲覧する。
【００７３】
次に、図８Ｄに示すように、マークＭ６がタッチペン６０でタッチされたので、マークＭ６は非表示となる。ところが、上記ページは、ユーザーが探していた目的のページではないので、ユーザーはページ探索を再開しなければならない。今度は、マークＭ４，マークＭ６，マークＭ７が表示されないので、ユーザーはマークＭ４，マークＭ６，マークＭ７を除くマークＭ１〜マークＭ３，マークＭ５のうちから選択すればよい。図８Ｄに示す例では、ユーザーはマークＭ５をタッチしてマークＭ５に対応するページを表示させて閲覧する。上記ページは、ユーザーが探していた目的のページであるので、ユーザーは、ページ探索の処理を終了する。
【００７４】
このように、本実施形態では、手書き図形（文字）が含まれている特定のページをユーザーが探索する過程において、下部表示バーＤＢのスケールＳＣに付されたマークのうち、タッチペン６０でタッチされたマークが非表示となる。
【００７５】
＜所定条件＞
以上では、表示の実行状況に関する所定条件としてページの表示回数が所定回数（１回）に達することを例に挙げて説明した。しかしながら、本実施形態では、上述した所定条件に限定されず他の所定条件を課すように条件を追加または変更できる。たとえば、上記所定回数に関する条件の設定について、ユーザーにより任意の回数が指定できるように構成してもよい。
【００７６】
また、上述の表示回数とは別の観点から所定条件を設定してもよい。たとえば、特定の期間中に表示されたページに関連付けられたマークの表示形態を変更するようにするため、「探索モード」をさらに設けてもよい。すなわち、所定条件として、モード設定が「探索モード」である期間中においてのみ、表示されたページに関連付けられたマークの表示形態を変更するようにシステム制御部５０を構成する。なお、本実施形態では、ユーザーは、たとえばメニュー領域ＭＮの「探索モード」をタッチすることにより、「探索モード」に切り替えることができる。
【００７７】
また、所定条件として、マークに対する操作形態に応じて、当該マークの表示形態を変更するように構成してもよい。たとえば、タッチペン６０でマークをタッチする際に、ワンクリック、ダブルクリック、および長押しかに応じて、マークの表示形態を変更できるようにシステム制御部５０を構成してもよい。
【００７８】
また、ユーザーに知らせずにマークの表示形態を変更してしまうと差支えがある場合、マークの表示形態を変更する前にユーザーの了承を得るように構成してもよい。具体的には、表示されたページの表示を終了するときに、当該ページに関連付けられているマークの表示形態を変更することに対してユーザーが了承する旨の操作があることを所定条件とする。そして、上記所定条件が満足された場合、上記マークの表示形態を変更するように構成してもよい。たとえば、表示されたページの表示を終了するときに、当該ページを表示したので終了後のマークの表示形態を変更してもよいかをユーザーに確認するメッセージを画面に表示する。これに対し、ユーザーが了承する旨の操作をした場合、マークの表示形態を変更するようにシステム制御部５０を構成する。
【００７９】
また、下部表示バーＤＢのスケールＳＣに表示されるマークの個数が少ない場合、ユーザーにとって各々のマークを識別することは容易であるので、表示されたマークの表示形態を変更する必要はない。したがって、マークの個数が所定数未満の場合、表示されたマークの表示形態を変更しないように構成してもよい。本実施形態では、マークに関する情報が設定されるマーク設定を有し、マーク設定は、下部表示バーＤＢのスケールＳＣに表示されるマークの個数に関する所定の閾値を含む。そして、上記マークの個数が上記所定の閾値以上であることを所定条件として、当該所定条件が満たされる場合、上記マークの表示形態を変更する。一方、下部表示バーＤＢのスケールＳＣに表示されるマークの個数が上記所定の閾値未満である場合は、上記マークの表示形態を変更しない。
【００８０】
また、マークの表示サイズを可変にするようにシステム制御部５０を構成してもよい。マークの表示サイズが大きい場合は上記所定の閾値を小さくし、表示サイズが小さい場合は、上記所定の閾値を大きくする。すなわち、下部表示バーＤＢのスケールＳＣの限られた領域において、マークの表示サイズが大きい場合、マーク同士が接近または重なる可能性が高くなるので、上記所定の閾値を小さく設定する。逆に、マークの表示サイズが小さい場合、マーク同士が接近または重なる可能性が低くなるので、上記所定の閾値を小さく設定する。さらに、上記所定の閾値の中心値はユーザーが任意に設定できるようにしてもよい。
【００８１】
＜マークの表示形態の復帰＞
一旦表示形態が変更されたマークを、所定の操作によって元の表示形態に復帰させることができるように構成してもよい。たとえば、メニュー領域ＭＮに「表示リセットキー」を設け、タッチペン６０により「表示リセットキー」がタッチされた場合、表示形態が変更されたマークが元の表示形態に復帰するようにシステム制御部５０を構成してもよい。
【００８２】
また、「探索モード」を終了した場合には、その期間中に表示形態が変更されたマークが元の表示形態に復帰するようにシステム制御部５０を構成してもよい。
【００８３】
また、表示形態が変更されたマークは、表示形態を変更してから第１所定時間後に元の表示形態に復帰するようにシステム制御部５０を構成してもよい。
【００８４】
また、表示形態が変更されたマークは、表示端末１に対する操作が第２所定時間以上無かった場合に元の表示形態に復帰するようにシステム制御部５０を構成してもよい。
【００８５】
また、表示形態が変更されたマークは、ＨＤＤ５１に含まれるページが所定数以下に削減された場合に元の表示形態に復帰するようにシステム制御部５０を構成してもよい。
【００８６】
＜表示形態の変更／復帰のやり直し＞
システム制御部５０は、マークの表示形態が変更された履歴を記憶し、当該履歴に基づいて、上記マークの表示形態の変更を取り消すか、あるいは変更をやり直すことができる。具体的には、マークの表示形態が変更された履歴を記憶し、「Ｕｎｄｏ（取り消し）」／「Ｒｅｄｏ（やり直し）」機能によって、上記マークの表示形態の変更を取り消したり、変更をやり直したりすることができるようにシステム制御部５０を構成してもよい。
【００８７】
また、表示形態が変更されたマークの位置に所定の操作を加えることで、表示形態を元の状態に復帰させることができるようにシステム制御部５０を構成してもよい。
【００８８】
＜マークの表示形態の変更＞
本実施形態では、マークの表示／非表示を切り替えることにより、ユーザーが、表示されたページに関連付けられているマークと他のマークとを容易に識別できるようにする。また、マークの表示／非表示を切り替えること以外にも、マークの大きさ、色、透過率、アクション（震えている、揺れている、大きくなったり小さくなったりする、薄くなったり濃くなったりする、現れたり消えたりする）などを含む形状を変更することもできる。
【００８９】
＜マークの種類＞
本実施形態では、マークは、手書き図形（文字）、しおり、コメント、付箋、編集、あるいは検索結果を含むページに関連付けられうる。
【００９０】
＜除外規定＞
ページの表示時間が第３所定時間より短かった場合は、マークの表示形態を変更しないように構成してもよい。
【００９１】
以上で説明した本実施形態の表示端末、表示方法、および表示プログラムでは、画面の下部表示バーＤＢのスケールＳＣにマークＭを表示し、表示の実行状況に関する所定条件が満足された場合、表示されたページに関連付けられているマークＭの表示形態を変更する。
【００９２】
以上で説明した本実施形態の表示端末、表示方法、および表示プログラムは、下記の効果を奏する。
【００９３】
本実施形態の表示端末、表示方法、および表示プログラムによれば、表示されたページに関連付けられているマークＭの表示形態を変更するので、下部表示バーＤＢのスケールＳＣに表示されたマークＭの識別が困難になることを抑制できる。その結果、手書きを含むページが多数ある場合でも、ページを表示するためのページ表示領域を狭めたりすることなく、下部表示バーＤＢのスケールＳＣの中で、所望するページを探しやすくすることができる。
【００９４】
（第２の実施形態）
第１の実施形態では、文書の中から手書き図形（文字）が含まれている特定のページを当該ページに関連付けられたマークに基づいて検索する構成を例示して本発明の表示端末、表示方法、および表示プログラムについて説明した。第２の実施形態では、表示端末に保存されている特定のファイルをアイコン表示領域に表示されたアイコンに基づいて探索する構成を例示して本発明の表示端末、表示方法、および表示プログラムについて説明する。なお、以下の第２の実施形態の説明では、第１の実施形態と同じ構成については、説明の重複を避けるため、詳細な説明を省略する。
【００９５】
図９は本発明の第２の実施形態の表示端末の一例を示す正面図であり、図１０は本発明の第２の実施形態の表示方法について説明するためのフローチャートである。また、図１１Ａ〜図１１Ｄは図９に示す表示端末で特定のファイルを探索する場合について説明するための模式図である。
【００９６】
図９に示すように、本実施形態の表示端末１’は、ページ表示領域ＰＤ、アイコン表示領域ＩＤ、メニュー領域ＭＮ，およびページめくりボタンＰＢが備えられたタブレット端末である。
【００９７】
アイコン表示領域ＩＤには、システム制御部５０のＨＤＤ５１またはＲＡＭ５２に保存されているファイルに関連付けられているアイコンＩＣが表示される。アイコン表示領域ＩＤに表示されるアイコンの個数は、ファイルの個数が増加するにつれて増加する。しかしながら、画面の大きさに占めるアイコン表示領域ＩＤの大きさは限られている。したがって、アイコンの個数が増加すると、隣接するアイコン同士の間隔が狭まる可能性がある。アイコン表示領域ＩＤは、表示端末１’を正面から見たときに、ページ表示領域ＰＤの下側に位置する。なお、アイコン表示領域ＩＤの配置は、ページ表示領域ＰＤの下側に限定されない。
【００９８】
本実施形態では、上記ファイルがコンテンツに対応し、アイコンＩＣがオブジェクトに対応し、アイコン表示領域ＩＤがオブジェクト表示領域に対応する。ＣＰＵ５４は、表示プログラムＤＰ’（不図示）を実行することにより、本実施形態の表示方法を実現する。以下、図１０を参照して、本実施形態の表示方法についてより詳しく説明する。
【００９９】
図１０に示すように、まず、アイコンが操作されたか否かが判断される（ステップＳ２０１）。ＣＰＵ５４は、オブジェクトとしてのアイコンがタッチペンでタッチされたか否かを判断する。アイコンが操作された場合（ステップＳ２０１：ＹＥＳ）、すなわち、アイコンＩＣがタッチペン６０でタッチされた場合、操作されたアイコンＩＣに対応するファイルを表示する（ステップＳ２０２）。ＣＰＵ５４は、表示部４０に指示して、タッチペン６０でタッチされたアイコンＩＣに対応するファイルを表示させる。
【０１００】
次に、所定条件を満足するか否かが判断される（ステップＳ２０３）。上記所定条件は、表示の実行状況に関する条件である。所定条件を満足しない場合（ステップＳ２０３：ＮＯ）、処理を終了する。上記所定条件としては、たとえばファイルの表示回数が所定回数に達することが挙げられる。上記所定回数は、任意の値に設定できるが、本実施形態では、所定回数は１に設定されている。なお、所定条件は、ファイルの表示回数が所定回数に達すること以外にも設定できる。この他の所定条件の詳細については第１の実施形態で説明した所定条件と同様なので説明を省略する。
【０１０１】
一方、所定条件を満足する場合（ステップＳ２０３：ＹＥＳ）、アイコンの表示形態を非表示にする（ステップＳ２０４）。本実施形態では、ＣＰＵ５４は、表示部４０に指示して、上記ファイルに関連付けられたアイコンを表示させない。すなわちアイコンを非表示にする。このように、本実施形態では、アイコンＩＣがタッチペン６０でタッチされた場合、ページの表示回数が所定回数の１回に達して所定条件を満足するので、表示されたファイルに関連付けられているアイコンの表示形態を変更（非表示）する。
【０１０２】
以上のステップＳ２０１〜Ｓ２０４の処理が実行されのち、ユーザーは、表示されたファイルが目的のファイルか否かを判断し、表示されたファイルが探していた目的のファイルである場合、ファイル探索を終了する。一方、表示されたファイルが探していた目的のファイルではない場合、ＣＰＵ５４に再度、上述のステップＳ２０２〜Ｓ２０４の処理を実行させる。
【０１０３】
以下、図１１Ａ〜図１１Ｄを参照して、アイコン表示領域に表示されたアイコンを選択して、目的とする特定のファイルを探索する場合を例示して、本実施形態の表示端末の動作を具体的に説明する。本実施形態では、ユーザーは、目的とする特定のファイルが見つかるまで、アイコン表示領域に表示されたアイコンを１つ１つタッチペンで選択して探索する。
【０１０４】
図１１Ａに示すように、本実施形態では、たとえば１０個のファイルがシステム制御部５０のＨＤＤ５１またはＲＡＭ５２に保存されており、各々のファイルに対応してアイコンＩＣ１〜アイコンＩＣ１０がアイコン表示領域ＩＣに表示されている。この段階では、ユーザーはアイコンＩＣ１〜アイコンＩＣ１０の１０個のアイコンの中から１つを選択しなければならない。ユーザーは、まず、たとえばアイコンＩＣ９をタッチペン６０でタッチしてアイコンＩＣ９に対応するファイルを開いて内容を確認する。
【０１０５】
次に、図１１Ｂに示すように、アイコンＩＣ９がタッチペン６０でタッチされたので、アイコンＩＣ９は非表示となる。ところが、上記ファイルは、ユーザーが探していた目的のファイルではないので、ユーザーはファイル探索を再開しなければならない。今度は、アイコンＩＣ９が表示されないので、ユーザーはアイコンＩＣ９を除くアイコンＩＣ１〜アイコンＩＣ８，アイコンＩＣ１０のうちから選択すればよい。図１１Ｂに示す例では、ユーザーはアイコンＩＣ６をタッチしてアイコンＩＣ６に対応するファイルを開いて内容を確認する。
【０１０６】
次に、図１１Ｃに示すように、アイコンＩＣ６がタッチペン６０でタッチされたので、アイコンＩＣ６は非表示となる。ところが、上記ファイルは、ユーザーが探していた目的のファイルではないので、ユーザーはファイル探索を再開しなければならない。今度は、アイコンＩＣ６およびアイコンＩＣ９が表示されないので、ユーザーはアイコンＩＣ６およびアイコンＩＣ９を除くアイコンＩＣ１〜アイコンＩＣ５，アイコンＩＣ７，アイコンＩＣ８，アイコンＩＣ１０のうちから選択すればよい。図１１Ｃに示す例では、ユーザーはアイコンＩＣ３をタッチしてアイコンＩＣ３に対応するファイルを開いて内容を確認する。
【０１０７】
次に、図１１Ｄに示すように、アイコンＩＣ３がタッチペン６０でタッチされたので、アイコンＩＣ３は非表示となる。ところが、上記ファイルは、ユーザーが探していた目的のファイルではないので、ユーザーはファイル探索を再開しなければならない。今度は、アイコンＩＣ３、アイコンＩＣ６、およびアイコンＩＣ９が表示されないので、ユーザーはアイコンＩＣ３、アイコンＩＣ６、およびアイコンＩＣ９を除くアイコンＩＣ１，アイコンＩＣ２，アイコンＩＣ４，アイコンＩＣ５，アイコンＩＣ７，アイコンＩＣ８，アイコンＩＣ１０のうちから選択すればよい。図１１Ｄに示す例では、ユーザーはアイコンＩＣ２をタッチしてアイコンＩＣ２に対応するファイルを開いて内容を確認する。上記ファイルは、ユーザーが探していた目的のファイルであるので、ファイル探索の処理を終了する。
【０１０８】
このように、本実施形態では、システム制御部５０のＨＤＤ５１またはＲＡＭ５２に保存されている特定のファイルをユーザーが探索する過程において、アイコン表示領域ＩＤに表示されたアイコンのうち、タッチペン６０でタッチされたアイコンが非表示となる。
【０１０９】
以上で説明した本実施形態の表示端末、表示方法、および表示プログラムでは、画面のアイコン表示領域にアイコンを表示し、表示の実行状況に関する所定条件が満足された場合、表示されたファイルに関連付けられているアイコンの表示形態を変更する。
【０１１０】
このような本実施形態の表示端末、表示方法、および表示プログラムは、下記の効果を奏する。
【０１１１】
本実施形態の表示端末、表示方法、および表示プログラムによれば、表示されたファイルに関連付けられているアイコンの表示形態を変更するので、アイコン表示領域に表示されたアイコンの識別が困難になることを抑制できる。その結果、ファイルが多数ある場合でも、ファイルを表示するためのページ表示領域を狭めたりすることなく、アイコン表示領域の中で、所望するファイルを探しやすくすることができる。
【０１１２】
以上のとおり、実施形態において、本発明の表示端末、表示方法、および表示プログラムを説明した。しかしながら、本発明は、その技術思想の範囲内において当業者が適宜に追加、変形、および省略することができることはいうまでもない。
【０１１３】
たとえば、第１および第２の実施形態では、電子ペーパーを備えた表示部を例示して説明したが、本発明の表示部は電子ペーパーを備える場合だけでなく、液晶ディスプレイを備える場合についても適用できる。
【０１１４】
また、第１および第２の実施形態では、表示装置としてタブレット端末を例に挙げて説明した。しかしながら、本発明の表示装置は、タブレット端末に限定されず、たとえばパーソナル・コンピューターのディスプレイや携帯電話のディスプレイにも適用できる。
【符号の説明】
【０１１５】
Ａ  表示システム、
ＤＢ  下部表示バー、
ＤＰ，ＤＰ’  表示プログラム、
ＩＣ，ＩＣ１〜ＩＣ１０  アイコン、
ＩＤ  アイコン表示領域、
Ｍ，Ｍ１〜Ｍ７  マーク、
ＭＮ  メニュー領域、
ＰＢ  ページめくりボタン、
ＰＤ  ページ表示領域、
ＳＣ  スケール、
ＳＰ  スケール位置、
１，１’  表示端末、
２  ＰＣ、
３  ネットワーク、
１０  通信部、
２０  操作部、
３０  電源部、
４０  表示部、
５０  システム制御部、
５１  ＨＤＤ、
５２  ＲＡＭ、
５３  ＲＯＭ、
５４  ＣＰＵ、
５５  内部バス、
６０  タッチペン。
【図１】
2015060323.tif 000003
【図２】
2015060323.tif 000004
【図３】
2015060323.tif 000005
【図４】
2015060323.tif 000006
【図５】
2015060323.tif 000007
【図６】
2015060323.tif 000008
【図７】
2015060323.tif 000009
【図８Ａ】
2015060323.tif 000010
【図８Ｂ】
2015060323.tif 000011
【図８Ｃ】
2015060323.tif 000012
【図８Ｄ】
2015060323.tif 000013
【図９】
2015060323.tif 000014
【図１０】
2015060323.tif 000015
【図１１Ａ】
2015060323.tif 000016
【図１１Ｂ】
2015060323.tif 000017
【図１１Ｃ】
2015060323.tif 000018
【図１１Ｄ】
2015060323.tif 000019